(57)【要約】      （修正有）【課題】香料を高い定量性を持って付加することができ、香料によって、製造時に雰囲気を汚したり、清掃時に被清掃面を香料で変質させることも防止することもできる清掃用物品の製造方法。【解決手段】清掃用物品の製造方法は、繊維束からなる繊維層１１Ａ，１１Ｂと、該繊維層１１Ａ，１１Ｂに対して被清掃面側とは反対側に位置する不織布製のシート１３Ａ，１３Ｂとを具備する賦香された清掃用物品の製造方法であり、不織布製のシート１３Ａ，１３Ｂに対して、繊維層１１Ａ，１１Ｂとは反対側の面側から香料５をスポット供給する工程を具備する。【選択図】図６
2014030497.tif 000002
【特許請求の範囲】
【請求項１】
繊維束からなる繊維層と、該繊維層に対して被清掃面側とは反対側に位置する不織布製のシートとを具備する賦香された清掃用物品の製造方法であって、
前記不織布製のシートに対して、前記繊維層側とは反対側の面側から香料をスポット供給する工程を具備する、清掃用物品の製造方法。
【請求項２】
不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品の製造方法であって、
前記挿入部形成シートに対して、前記把手挿入部の内面を形成する面側から香料を供給する工程を具備する、清掃用物品の製造方法。
【請求項３】
清掃用物品における前記繊維層を有する部分を、前記把手挿入部の長手方向と同方向に３等分して中央領域及びその前後に位置する一対の端部領域に区分したときの中央領域に位置する部位に供給する請求項１又は２記載の清掃用物品の製造方法。
【請求項４】
前記把手挿入部内に、液体の定量供給装置の液吐出部を挿入し、該液吐出部から吐出させた香料を、該把手挿入部を挟んで相対向する２枚の挿入部形成シートに同時に供給する請求項１〜３の何れか１項記載の清掃用物品の製造方法。
【請求項５】
賦香後の清掃用物品をガスバリア性の密閉された包装体内に封入して保管し、前記香料を、前記中央領域からその前後に位置する一対の端部領域に拡散させる後工程を具備する、請求項３記載の清掃用物品の製造方法。
【請求項６】
不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品であって、
前記挿入部形成シートに香料が添加されており、
清掃用物品における前記繊維層を有する部分を、前記把手挿入部の長手方向と同方向に３等分して中央領域及びその前後に位置する一対の端部領域に区分したときの中央領域に、一対の前記端部領域のそれぞれにおけるよりも多い量の香料が存在する清掃用物品。
【請求項７】
前記清掃用物品における前記繊維層を有する部分を前記把手挿入部の長手方向に５等分して、中央部、該中央部の外側に位置する中間部及び該中間部の更に外側に位置する端部に区分したときの中央部、一対の中間部及び一対の端部の何れもが賦香されており、且つ該中央部から一対の端部それぞれに向かって芳香の強さが漸減している、請求項６記載の清掃用物品。
【発明の詳細な説明】
【技術分野】
【０００１】
本発明は、賦香された清掃用物品の製造方法に関する。
【背景技術】
【０００２】
従来、扁平状の把手挿入部の上下に繊維束からなる繊維層を具備し、把手を該把手挿入部内に挿入して取り付け可能になされている清掃用物品が知られている（例えば、特許文献１参照）。
また、清掃用物品に芳香を付与するために、香料を含む液を、清掃用物品や該物品の製造に使用される不織布等の繊維シートにスプレーしたり、清掃用物品を香料を含む液に浸漬させたり、香料をマイクロマプセルに封入して繊維に担持させたりすること（特許文献２参照）が知られている。
【０００３】
【特許文献１】特開２００８−００６２６０号公報
【特許文献２】特開平１−２７２８７５号公報
【発明の開示】
【発明が解決しようとする課題】
【０００４】
しかし、香料含有液をスプレーする方法や香料含有液に浸漬する方法は、製造時の雰囲気や製造ライン等を香料で汚し易く、また、賦香された清掃用物品を用いて清掃する際に、清掃対象である被清掃面を香料で汚したり、被清掃面の性質によっては被清掃面に変色等の変質を生じさせる恐れがある。また、個々の清掃用物品に付与される香料の定量性にも劣る。
他方、マイクロマプセル化して固定する方法は、製造コストが上昇し、例えば使い捨ての清掃用物品等の場合にはコスト面から採用しにくい問題がある。
【０００５】
従って、本発明の課題は、上記の従来技術が有する解決課題を解決し得る清掃用物品の製造方法を提供することにある。
【課題を解決するための手段】
【０００６】
本発明は、繊維束からなる繊維層と、該繊維層に対して被清掃面側とは反対側に位置する不織布製のシートとを具備する賦香された清掃用物品の製造方法であって、
前記不織布製のシートに対して、前記繊維層側とは反対側の面側から香料をスポット供給する工程を具備する、清掃用物品の製造方法を提供するものである。
【０００７】
また、本発明は、不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品の製造方法であって、前記挿入部形成シートに対して、前記把手挿入部の内面を形成する面側から香料を供給する工程を具備する、清掃用物品の製造方法を提供するものである。
【０００８】
また、本発明は、不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品であって、前記挿入部形成シートに香料が添加されており、清掃用物品における前記繊維層を有する部分を、前記把手挿入部の長手方向と同方向に３等分して中央領域及びその前後に位置する一対の端部領域に区分したときの中央領域に、一対の前記端部領域のそれぞれにおけるよりも多い量の香料が存在する清掃用物品を提供するものである。
【発明の効果】
【０００９】
本発明の清掃用物品の製造方法によれば、香料を、繊維束からなる繊維層ではない不織布製のシートにスポット供給するため、清掃用物品に香料を高い定量性を持って付加することができる。そのため、例えば、付与する芳香の強さのコントロールが容易である。また、香料を、繊維束からなる繊維層ではない不織布製のシートにスポット供給するため、製造時に雰囲気を汚したり、清掃時に被清掃面に香料が付着することも防止することもできる。
【００１０】
また、本発明の清掃用物品によれば、清掃時に被清掃面に香料が付着しにくく、また、繊維層を有する部分の中央領域に香料が偏在しているため、芳香の持続性や使用時における徐放性にも優れている。
【図面の簡単な説明】
【００１１】
【図１】図１（ａ）は、本発明の製造方法の一実施態様で製造される清掃用物品に把手を取り付けた状態を示す斜視図であり、図１（ｂ）は、把手のみを示す斜視図である。
【図２】図２は、図１に示す清掃用物品の平面図である。
【図３】図３（ａ）は、図２のＩ−Ｉ線断面図、図３（ｂ）は、図２のＩＩ−ＩＩ線断面図である。
【図４】図４は、図１に示す清掃用物品における挿入部形成シートを示す平面図である。
【図５】図５は、本発明の清掃用物品の製造方法の一実施態様における賦香前清掃物品を得るまでの工程を模式的に示す図である。
【図６】図６は、本発明の清掃用物品の製造方法の一実施態様における香料の供給方法の説明図であり、（ａ）は清掃用物品の長手方向に沿う断面を示す模式図であり、（ｂ）は（ａ）の香料供給部位の拡大図であり、（ｃ）は液体の定量供給装置の例を示す斜視図である。
【図７】図７は、香料の供給部位及びその後の香料の拡散を説明するための、清掃用物品の模式平面図である。
【図８】図８は、本発明の他の実施態様の説明図である。
【図９】図９は、芳香の拡散性及び芳香の持続性の評価結果を示すグラフである。
【発明を実施するための最良の形態】
【００１２】
以下、本発明をその好ましい一実施態様に基づき図面を参照しながら説明する。
本発明の第１実施態様で製造する清掃用物品１０は、図１〜図４に示すように、不織布製の挿入部形成シート１３Ａ，１３Ｂにより形成された扁平状の把手挿入部１５を有し、該把手挿入部１５の上下それぞれに繊維束からなる繊維層１１Ａ，１１Ｂを具備している。本実施形態における把手挿入部１５は、扁平な筒状である。不織布製の挿入部形成シート１３Ａ，１３Ｂには、香料が付加されており、清掃用物品１０は、賦香されている。また、清掃用物品１０は、把手２０を該把手挿入部内に挿入して取り付け可能になされている。
【００１３】
本実施態様に係る清掃用物品１０は、一方の繊維層１１Ａを、被清掃面に接触させて該被清掃面の清掃を行うことができると共に、他方の繊維層１１Ｂを、被清掃面に接触させて該被清掃面の清掃を行うこともできる。従って、一方の挿入部形成シート１３Ａは、一方の繊維層１１Ａに対して被清掃面とは反対側に位置する不織布製のシートであり、他方の挿入部形成シート１３Ｂも、他方の繊維層１１Ｂに対して被清掃面とは反対側に位置する不織布製のシートである。ここで、被清掃面とは、繊維束からなる繊維層を押し付けたり接触させたりして清掃する清掃対象物の表面であり、例えば、机、棚等の家具や、家電製品、床、洗面台やキッチン、楽器、車の内装等の表面等である。
【００１４】
本実施態様に係る清掃用物品１０についてより詳細に説明すると、把手挿入部１５は、図３及び図４に示すように、把手挿入部１５の上下の繊維層１１Ａ，１１Ｂ間に介在させた２枚の挿入部形成シート１３Ａ，１３Ｂを、把手挿入部１５の長手方向両側に、該把手挿入部１５の長手方向に沿って延びるサイド非連続シール１６Ｂ，１６Ｂが形成されるように接合して形成されている。サイド非連続シール１６Ｂ，１６Ｂは、両者間に把手２０を挿入可能な把手挿入部１５を形成するサイドシールの一例であり、サイドシールは、把手挿入部１５の長手方向に延びる連続直線状の接合部であっても良いが、本実施態様に係る清掃用物品１０におけるサイドシールは、ドット状の点シール１８，１８が一列に並んだサイド非連続シール１６Ｂ，１６Ｂとなっている。
【００１５】
そして、図３に示すように、把手挿入部１５の上面に、第１繊維層１１Ａが設けられており、把手挿入部１５の下面に、第２繊維層１１Ｂが設けられている。
以下の説明において、挿入部形成シート１３Ａ，１３Ｂに共通する説明を行う際には「挿入部形成シート１３」の表現を用いる。また、第１繊維層１１Ａ及び第２繊維層１１Ｂに共通する説明を行う際には「繊維層１１」の表現を用いる。また、特に明記のない限り、「長手方向」とは、把手挿入部の長手方向又は清掃用物品や挿入部形成シートにおける、把手挿入部の長手方向と平行な方向であり、「幅方向」とは、把手挿入部の幅方向又は清掃用物品や挿入部形成シートにおける把手挿入部の幅方向と平行な方向である。
【００１６】
繊維層１１は、繊維束が所定の厚みをもって配向されて形成されている。繊維束は、把手挿入部１５の幅方向に略配向している。従って、繊維層１１は、繊維の配向方向が、該繊維層１１が固定された挿入部形成シート１３の長手方向と略直交するように積層されている。また、本実施態様に係る清掃用物品における各繊維層１１は、略矩形の平面視形状を有しており、それぞれ実質的に同形となっている。繊維層１１を構成する繊維束の繊維長は、埃の絡み取り性の観点から、好ましくは３０ｍｍ以上、より好ましくは５０ｍｍ以上であり、また、好ましくは１５０ｍｍ以下、より好ましくは１２０ｍｍ以下である。本実施態様に係る清掃用物品１０においては、このような繊維長を有する繊維を繊維束（トウ）の状態で用いている。繊維層を構成する繊維束（トウ）は、公知の開繊装置を用いて繊維を十分に開繊されていることが好ましい。繊維の太さは、埃の絡み取り性や清掃対象面への傷付き防止性の観点から、０．１ｄｔｅｘ以上２００ｄｔｅｘ以下、特に２ｄｔｅｘ以上３０ｄｔｅｘ以下であることが好ましい。また、繊維層１１を構成する繊維として特に捲縮繊維を用いると、埃の絡み取り性が一層向上するので好ましい。捲縮繊維としては、二次元捲縮又は三次元捲縮したものを用いることができる。
【００１７】
本実施態様に係る清掃用物品１０における挿入部形成シート１３は、略矩形状で、それらの長手方向が清掃用物品１０の長手方向と一致している。挿入部形成シート１３の長さは、繊維層１１よりやや長くなっており、挿入部形成シート１３の幅は、繊維層１１の幅よりも狭くなっている。換言すると、把手挿入部１５を形成する挿入部形成シート１３は、長手方向Ｘの長さが、繊維束からなる繊維層１１の同方向の長さよりも長く、幅方向Ｙの長さが、繊維束からなる繊維層１１の長さよりも短くなっている。
【００１８】
また、繊維層１１と挿入部形成シート１３とは、それらの幅方向中央部を一致させて、挿入部形成シート１３の長手方向に亘って接合されている。より具体的には、第１繊維層１１Ａは、第１挿入部形成シート１３Ａに、幅方向中央部においては長手方向に連続的に延びる中央連続シール線１６Ａにより接合されており、中央連続シール線１６Ａから幅方向外方にそれぞれ離間した位置においては長手方向に非連続的に延びるサイド非連続シール１６Ｂにより接合されている。同様に、第２繊維層１１Ｂは、第２挿入部形成シート１３Ｂに、中央連続シール線１６Ａ及びサイド非連続シール１６Ｂにより接合されている。
本実施態様に係る清掃用物品１０においては、その幅方向中央部に位置している中央連続シール線１６Ａは、連続直線状で、把手挿入部１５の長手方向の略全長に亘って形成されている。
挿入部形成シート１３は、清掃用物品１０の長手方向の両端部に、繊維層１１より延出している部分を有することが好ましく、その延出部分に、挿入部形成シート１３Ａ，１３Ｂ間が、それぞれの幅方向の全幅に亘って接合されていない少なくとも１ｍｍ以上の未接合の部分を有していることが好ましく、５ｍｍ以上の未接合の部分を有していることが更に好ましい。
【００１９】
本実施態様に係る清掃用物品１０は、賦香されている。より具体的には、把手挿入部１５の上下の挿入部形成シート１３Ａ及び挿入部形成シート１３Ｂのそれぞれに香料が付加されており、それによって、常温常圧において空間に芳香を放出する機能を付与されている。
芳香の放出によって、清掃作業中に、使用者に、爽快感、清涼感、清潔感、リラックス感等を感じさせることができる。
【００２０】
挿入部形成シート１３は、不織布からなる。香料を付加する挿入部形成シート１３等のシートを構成する不織布としては、各種の製法による不織布を特に制限なく用いることができ、例えば、エアスルー不織布、スパンボンド不織布、スパンレース不織布、エアレイド不織布、メルトブローン不織布、ケミカルボンド不織布、サーマルボンド不織布、湿式抄紙法不織布等が挙げられる。また、同一又は異なる種類の不織布が２層以上積層された構成の多層不織布を用いることもできる。
香料の含浸性や香料の拡散性の観点から、エアレイド不織布、エアスルー不織布、スパンボンド不織布が好ましい。
また、香料を付加する不織布は、坪量が、好ましくは５ｇ／ｍ2以上、より好ましくは１０ｇ／ｍ2以上であり、また、好ましくは２００ｇ／ｍ2以下、より好ましくは１００ｇ／ｍ2以下であり、例えば、好ましくは１０〜１００ｇ／ｍ2であり、より好ましくは２０〜６０ｇ／ｍ2である。
【００２１】
また、香料の含浸性や香料の拡散性の観点から、香料を付加する不織布製のシートは、少なくとも、香料を供給する側の面が、疎水性繊維を有することが好ましく、疎水性繊維を７０質量％以上含むことがより好ましく、疎水性繊維１００質量％からなることが更に好ましい。
疎水性繊維としては、親水化処理を行っていない合成繊維、特に熱可塑性繊維等を用いることができる。熱可塑性繊維としては、ポリプロピレン（ＰＥ）、ポリエチレン（ＰＥ）等のポリオレフィンからなる繊維、ポリエチレンテレフタレート（ＰＥＴ）等のポリエステルからなる繊維等が挙げられ、芯鞘型又はサイドバイサイド型の複合繊維を用いることもできる。芯鞘型の複合繊維の一例としては、芯がＰＥ又はＰＥＴ，鞘がＰＥの複合繊維を挙げることができる。
【００２２】
次に、上述した清掃用物品１０を製造する本発明の清掃用物品の好ましい実施態様について、図５を参照して、説明する。
本実施態様の製造方法においては、下記（１）〜（４）の工程を経て、清掃用物品１０を製造する。
（１）第１連続体及び第２連続体の製造工程
（２）第１連続体と第２連続体とを重ねて部分的に接合する積層体の製造工程
（３）積層体を切断して個々の賦香前清掃用物品を得る工程
（４）賦香前清掃用物品に香料を付加する賦香工程
【００２３】
（１）第１連続体及び第２連続体の製造工程
本工程は、図５に示すように、流れ方向に連続した繊維束からなる第１繊維層１１Ａと、流れ方向に連続した不織布からなる第１帯状部材３１Ａとを重ね、両者を部分的に接合して第１連続体３２Ａを製造する工程、及び同様にして、第２連続体３２Ｂを製造する工程である。なお、主として、第１連続体３２Ａの製造について説明するが、第２連続体３２Ｂについても第１連続体３２Ａと同様に製造される。
【００２４】
本工程においては、図５に示すように、連続した不織布からなる第１帯状部材３１Ａを巻き出した後、第１帯状部材３１Ａの片面上に、流れ方向に連続した繊維束からなる第１繊維層１１Ａを供給し、次いで、第１帯状部材３１Ａと第１繊維層１１Ａとの間を、流れ方向に直交する方向に延びる中央連続シール線１６Ａにより間欠的に接合して、第１連続体３２Ａとする。
【００２５】
（２）第１連続体と第２連続体とを重ねて部分的に接合する積層体の製造工程
本工程においては、上述のようにして製造した第１連続体３２Ａと第２連続体３２Ｂとを重ねて部分的に接合して積層体３４を製造する。
【００２６】
第１連続体３２Ａ及び第２連続体３２Ｂは、何れも繊維層１１Ａ，１１Ｂが固定されていない面どうしを当接させて重ね合わせ、次いで、両者間を、流れ方向に直交する方向に延びるサイド非連続シール１６Ｂにより流れ方向に間欠的に接合する。サイド非連続シール１６Ｂにおいては、図３（ａ）に示すように、第１繊維層１１Ａ、第１連続体３２Ａ、第２連続体３２Ｂ及び第２繊維層１１Ｂが一体化する。即ち、２本のサイド非連続シール１６Ｂは、挿入部形成シート１３と繊維層１１との間を接合するシール部と、対向した挿入部形成シート１３Ａ，１３Ｂ間を接合するシール部とを兼ねている。
【００２７】
なお、中央連続シール線１６Ａ及びサイド非連続シール１６Ｂは、それぞれ、ヒートシール、超音波シール等による熱融着、ホットメルト接着剤等の接着剤による接着等の公知の接合手段により形成することができる。中央連続シール線１６Ａとサイド非連続シール１６Ｂとで接合手段は同じでも異なっていても良い。
【００２８】
（３）積層体を切断して個々の清掃用物品を得る工程
本工程においては、図５に示すように、積層体３４を間欠的に切断して個々の賦香前清掃用物品３５を得る。賦香前清掃用物品３５は、香料が付与されていない以外は、前述した清掃用物品１０と同一の構成を有する。
【００２９】
（４）賦香前清掃用物品に香料を添加する賦香工程
本工程においては、図６に示すように、賦香前清掃用物品３５の把手挿入部１５内に、液体の定量供給装置４の液吐出部である吐出ノズル４５を挿入し、該吐出ノズル４５から吐出させた一定量の香料５を、対向した挿入部形成シート１３Ａ，１３Ｂに同時に供給する。このとき、香料５は、挿入部形成シート１３Ａに対して、繊維層１１Ａ側とは反対側の面１３ｕ側から供給され、挿入部形成シート１３Ｂに対して、繊維層１１Ｂ側とは反対側の面１３ｕ’側から供給される。香料５が供給される面１３ｕ，１３ｕ’は、いずれも把手挿入部１５の内面を形成する側の面である。
清掃用物品１０は、このようにして、効率的に製造することができる。
【００３０】
液体の定量供給には、マイクロピペットを用いて液体を吸い上げて滴下する方法やアトマイザーで噴霧する方法などが一般的であるが、本実施態様で用いた液体の定量供給装置４は、図６（ｃ）に示すように、回転するローター４２を可撓性のチューブ４１に圧接させ、ローター４２の回転角度に応じた容量の液体を送り出すポンプ付きの制御部４３と、押圧スイッチ４４及び吐出ノズル４５を有する液吐出部４６とを有し、押圧スイッチ４４を一回押圧操作する度に予め設定した一定容量の液体を、吐出ノズル４５の先端から吐出するものである。このような液体の定量供給装置としては、例えば、トミタエンジニアリング株式会社製のチュービングディスペンサー「ＴＯＭ．１０００」を好ましく用いることができる。
【００３１】
なお、本実施態様においては、把手挿入部１５内への液吐出部４６の挿入や押圧スイッチ４４の操作は人の手で行うが、液吐出部の挿入や制御部への送液指令等が自動的に行われるようにしても良い。
【００３２】
本実施態様の製造方法によれば、香料５を、挿入部形成シート１３Ａ，１３Ｂにスポット供給するため、スプレーや浸漬により塗布する場合に比して、高い定量性を持って付与できる。そのため、例えば、複数の賦香前清掃用物品を製造する場合に、それらに一定容量の香料を安定して付与することができる。また、個々の賦香前清掃用物品３５に対する香料５の容量を、香料の種類や清掃用物品の大きさ等に応じて設定することにより、付与する芳香の強さや芳香の持続時間等をコントロールすることも容易である。
また、スプレーや浸漬により塗布する場合に比して、清掃用物品１０の製造時に香料で雰囲気や製造ラインを汚すことも防止することができる。
また、被清掃面に対して当接される繊維層１１Ａ，１１Ｂとは反対側に位置する挿入部形成シート１３Ａ，１３Ｂに香料５を供給するため、清掃用物品１０を用いて清掃を行う際に、被清掃面に香料が付きにくいので、被清掃面が香料によって汚れたり、被清掃面に変色等の変質が生じたりすることも防止することができる。
【００３３】
なお、スポット供給は、香料あるいは香料を含む配合液を添加すべき不織布製シートの一部分に、液体を直接的に供給することを意味し、賦香前清掃用物品３５の全体や挿入部形成シート１３の全体に香料あるいは香料含有液をスプレーして塗布する場合、浸漬して塗布する場合、グラビアロールで転写して塗布する場合は、スポット供給に含まれない。
液体を供給する部位は、任意に設定することができ、また、供給する液体の量も、任意に設定することができる。供給する香料の量は、容量で制御しても良いし、質量で制御しても良い。
清掃用物品１つ当たりの香料の添加量は、植物由来の精油を香料として添加する場合、例えば、５μＬ以上、１２０μＬ以下であり、より好ましくは２０μＬ以上、８０μＬ以下である。
【００３４】
挿入部形成シート１３Ａ，１３Ｂに香料を供給する部位は、清掃用物品１０における前記繊維層１１Ａ，１１Ｂを有する部分を、図６（ａ）に示すように、把手挿入部１５の長手方向と同方向Ｘに３等分して中央領域Ｒｃ及びその前後に位置する一対の端部領域Ｒｅ，Ｒｅに区分したときの中央領域Ｒｃであることが好ましい。
中央領域Ｒｃに供給することで、香料による雰囲気の汚染等が一層確実に防止される。
また、挿入部形成シート１３Ａ，１３Ｂにおける、前記中央領域Ｒｃに位置する部位に香料５を供給することにより、該中央領域Ｒｃに、一対の端部領域Ｒｅ，Ｒｅのそれぞれにおけるよりも多い量の香料が存在する清掃用物品１０が得られる。
得られた清掃用物品１０は、中央領域Ｒｃに香料が偏在していることによって、芳香の持続性や使用時における徐放性にも優れている。
【００３５】
また、本実施態様においては、図６（ｂ）に示すように、香料５を、把手挿入部１５を挟んで相対向する２枚の挿入部形成シート１３Ａ，１３Ｂに同時に供給している。そのため、液流れ等を防止しつつ、特定の箇所に安定して香料を供給することができると共に、一方の挿入部形成シートのみに同じ量の香料を供給する場合に比して、香料５が、繊維層に移行しにくくなるため、繊維層の表面に移行した香料によって被清掃面を変質させること等が一層確実に防止される。
把手挿入部１５を挟んで相対向する２枚の挿入部形成シート１３Ａ，１３Ｂに同時に香料５を添加する場合、図６（ａ）に示すように、指６による加圧等によって、液体の定量供給装置の液吐出部が香料５を供給すべき部位までしか挿入されないようにして、香料５を吐出させることが好ましい。
【００３６】
賦香後の清掃用物品１０は、ガスバリア性の密閉された包装体に封入して保管し、中央領域Ｒｃに供給した香料５を、中央領域Ｒｃからその前後に位置する一対の端部領域Ｒｅ，Ｒｅに拡散させることが好ましい。香料５を、端部領域Ｒｅ，Ｒｅに拡散させることで、香料５の担持量を確保しつつ、挿入した把手に対する香料５の付着量を低下させることができる。また、必要な香料５の担持量を確保しつつ、被清掃面に対する香料の付着を一層確実に防止することができる。
ガスバリア性の包装体は、多層構造の樹脂フィルムやアルミ等の金属の蒸着膜を有する積層シート等から構成することができる。ガスバリア性の包装体は、芳香が外部に放出されない程度のバリア性を有していれば良く、可撓性のシート材からなる袋状のものでも、剛性を有する容器であっても良い。
【００３７】
ガスバリア性の包装体に封入して放置する時間は、添加する香料の種類や量（容量又は質量）に応じて適宜に決定することができるが、例えば、好ましくは１日以上であり、より好ましくは１週間（７日）以上、更に好ましくは３週間（２１日）以上である。
【００３８】
本発明の清掃用物品は、図７に示すように、清掃用物品１０における繊維層１１を有する部分を、把手挿入部の長手方向Ｘに５等分して、中央部Ｒ３、該中央部の外側に位置する中間部Ｒ２，Ｒ４及び該中間部の更に外側に位置する端部Ｒ１，Ｒ５に区分したときの中央部Ｒ３、一対の中間部Ｒ２，Ｒ４及び一対の端部Ｒ１，Ｒ５の何れもが賦香されており、且つ該中央部Ｒ３から一対の端部Ｒ１，Ｒ５のそれぞれに向かって芳香の強さが漸減していることが好ましい。本発明の清掃用物品は、把手を両方向から該把手挿入部内に挿入して取り付けることができることが好ましい。把手を具備する清掃物品を用いた清掃方法は、一般的に清掃部端部領域を多く活用する。したがって、汚れの捕集は、把手挿入部の長手方向Ｘに５等分して、外側に位置する端部Ｒ１，Ｒ５の端部に汚れが付着し易く、汚れが付着することで香り立ちを減退させる。清掃用物品が、このような芳香の勾配を有することで、中央部Ｒ３領域のポイント賦香は、芳香の強さや芳香の持続時間をコントロールすることができる。
各部の芳香の強さは、清掃用物品を各領域に分割し、そのそれぞれの芳香の強さを官能評価することによって判断することができる。
【００３９】
本発明で用いられる香料としては、例えば「香料と調香の基礎知識」（中島基貴著、産業図書、1995年）に記載されているような香料を使用することができる。
疎水性繊維に供給して用いる香料としては、例えば、ゲラニオール、リナロール、シトロネロール、ネロール、ヒドロキシシトロネロール、テトラヒドロゲラニオール、ターピネオール、シス−３−ヘキセノール、フェニルエチルアルコール、ベンジルアルコール、リモネンなどが挙げられる。
また、香り持続性能が優れた香料として揮発性の低いものを用いると、残香性が一層向上するので好ましい。例えば、γ−ウンデカラクトン、１−（２，６，６−トリメチル−１，３−シクロヘキサジエン−１−イル）−２−ブテン−１−オン、７−アセチル−１，２，３，４，５，６，７，８−オクタヒドロ−１，１，６，７−テトラメチルナフタレン、セドリルメチルケトン、３，７−ジメチル−７−メトキシオクタン−２−オール、ドデカヒドロ−３ａ，６，６，９ａ−テトラメチルナフト［２，１−ｂ］フランなどが挙げられる。
【００４０】
本発明で用いる香料は、溶剤等を配合したものであっても良い。香料は一般にオイルに溶解した状態で取り扱いがなされているが、香料に溶解するもので希釈された液体香料は、香りの強さや残香速度もコントロールすることが出来るので好ましい。使用可能な溶剤としては、例えば、ジプロピレングリコール、イソプロピルミリステート、フェニルエチルアルコール、クエン酸トリエチル、3-メチル-3-メトキシ-1-ブタノール 、2-フェノキシエタノール、ハーコリン  D、エチルジグリコール等が挙げられる。
【００４１】
以上、本発明の好ましい実施態様について説明したが、本発明は、上記の実施態様に制限されずに適宜変更可能である。
例えば、本発明に係る清掃用物品は、特許文献１の図１〜図６に示す清掃用物品のように、把手挿入部１５の上下それぞれに２層以上の繊維束からなる繊維層を有するものであっても良いし、把手挿入部１５の上下の一方のみに２層以上の繊維層を有するものであっても良い。また、特開２００５−２３７９７５号公報の図１〜図３に示される清掃用物品のように、把手挿入部の上下の一方のみに繊維層を有するものであっても良い。把手挿入部の上下の一方のみに繊維層を有する場合であっても、該繊維層を被清掃面に接触させて清掃を行うことにより、挿入部形成シートに添加した香料は、被清掃面に付着しにくい。また、繊維層を挿入部形成シートに接合する接合部の形状も任意に変更可能であり、連続直線状のシール、非連続の直線状シール、ドット状のシール、格子状のシール等を単独又は任意に組み合わせて用いることができる。
【００４２】
また、把手挿入部１５は、特許文献１の図１〜図６に示す清掃用物品のように、２本に分岐した挿入部２２を有する把手の２本の挿入部２２に対応させて、２本の把手挿入部１５を有するものであっても良い。また、清掃用物品は、３枚の挿入部形成シートを用い、一方のシート間に、先端が２本に分岐した把手用の２本の把手挿入部を形成し、他方のシート間に、先端が分岐していない把手用の把手挿入部を形成したものであっても良い。このように、把手挿入部が２つ又は３以上存在する場合、何れか１つの把手挿入部のみに、液体の定量供給装置の液吐出部を挿入して、その把手挿入部内のみに香料をスポット供給しても良いし、２つ又は総ての把手挿入部に液体の定量供給装置の液吐出部を挿入して香料をスポット供給しても良い。
【００４３】
また、香料をスポット供給するための定量供給装置としては、一定容量の液体を吐出可能な他の装置、例えば、手動又は電動のピペット等を用いることもできる。また、一定質量の液体を吐出可能な装置を用いることもできる。
また、把手挿入部１５を形成する挿入部形成シート１３Ａ，１３Ｂは、図８に示すように、一枚の不織布製シート１３Ｇを、長手方向に折り返し、その折り曲げ部を境界として、一方を挿入部形成シート１３Ａ、他方を挿入部形成シート１３Ｂとしたものであっても良い。また、図７に示すように、香料５を、挿入部形成シート１３Ａ，１３Ｂどうしを接合する前にスポット供給し、その後に、挿入部形成シート１３Ａ，１３Ｂの所定箇所を接合して把手挿入部１５を形成してもよい。この場合、香料を供給することが好ましい繊維層を有する部分の中央領域は、賦香後の清掃用物品において、中央領域Ｒｃとなる領域である。また、一枚の不織布製シートを、幅方向に折り畳み、所定箇所を接合して把手挿入部を形成したものであっても良い。
【００４４】
上述した実施形態に関し、本発明はさらに以下の製造方法、或いは清掃用物品を開示する。
＜１＞繊維束からなる繊維層と、該繊維層に対して被清掃面側とは反対側に位置する不織布製のシートとを具備する賦香された清掃用物品の製造方法であって、
前記不織布製のシートに対して、前記繊維層側とは反対側の面側から香料をスポット供給する工程を具備する、清掃用物品の製造方法。
＜２＞不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品の製造方法であって、
前記挿入部形成シートに対して、前記把手挿入部の内面を形成する面側から香料を供給する工程を具備する、清掃用物品の製造方法。
＜３＞清掃用物品における前記繊維層を有する部分を、前記把手挿入部の長手方向と同方向に３等分して中央領域及びその前後に位置する一対の端部領域に区分したときの中央領域に位置する部位に供給する前記＜１＞又は＜２＞記載の清掃用物品の製造方法。
＜４＞前記把手挿入部内に、液体の定量供給装置の液吐出部を挿入し、該液吐出部から吐出させた香料を、該把手挿入部を挟んで相対向する２枚の挿入部形成シートに同時に供給する前記＜１＞〜＜３＞の何れか１項記載の清掃用物品の製造方法。
【００４５】
＜５＞賦香後の清掃用物品をガスバリア性の密閉された包装体内に封入して保管し、前記香料を、前記中央領域からその前後に位置する一対の端部領域に拡散させる後工程を具備する、前記＜３＞記載の清掃用物品の製造方法。
＜６＞不織布製の挿入部形成シートにより形成された扁平状の把手挿入部を有し、該把手挿入部の上下それぞれに繊維束からなる繊維層を具備しており、把手を該把手挿入部内に挿入して取り付け可能になされている賦香された清掃用物品であって、
前記挿入部形成シートに香料が添加されており、
清掃用物品における前記繊維層を有する部分を、前記把手挿入部の長手方向と同方向に３等分して中央領域及びその前後に位置する一対の端部領域に区分したときの中央領域に、一対の前記端部領域のそれぞれにおけるよりも多い量の香料が存在する清掃用物品。
＜７＞前記清掃用物品における前記繊維層を有する部分を前記把手挿入部の長手方向に５等分して、中央部、該中央部の外側に位置する中間部及び該中間部の更に外側に位置する端部に区分したときの中央部、一対の中間部及び一対の端部の何れもが賦香されており、且つ該中央部から一対の端部それぞれに向かって芳香の強さが漸減している、前記＜６＞記載の清掃用物品。
＜８＞前記挿入部形成シートに対して、前記把手挿入部の内面を形成する面側から香料を供給する工程は、把手挿入部内に、液体の定量供給装置の液吐出部を挿入し、該液吐出部から吐出させた一定量の香料を、対向した挿入部形成シートに同時に供給する工程である前記＜２＞記載の清掃用物品の製造方法。
＜９＞指による加圧によって、前記液体の定量供給装置の液吐出部が香料を供給すべき部位までしか挿入されないようにして、香料を吐出させる前記＜８＞記載の清掃用物品の製造方法。
【００４６】
＜１０＞前記挿入部形成シートに対して、前記把手挿入部の内面を形成する面側から香料を供給する工程は、把手挿入部内に、ピペットで香料を一定量滴下するか、アトマイザーで一定量噴霧する工程である前記＜２＞記載の清掃用物品の製造方法
＜１１＞前記挿入部形成シートを構成する不織布は、少なくとも香料を供給する側の面が疎水性繊維を有している前記＜６＞記載の清掃用物品
＜１２＞前記疎水性繊維がポリオレフィンからなる繊維又はポリエステルからなる繊維である前記＜１１＞記載の清掃用物品
【実施例】
【００４７】
以下、実施例により、本発明を更に詳細に説明するが、本発明は、以下の実施例の記載によって何ら制限されるものではない。
【００４８】
〔実施例〕
図１〜図４に示す形態の賦香前清掃用物品を製造し、その把手挿入部１５に、前述したトミタエンジニアリング株式会社製のチュービングディスペンサー「ＴＯＭ．１０００」の液吐出部４６を挿入し、挿入部形成シート１３Ａ，１３Ｂそれぞれの把手挿入部１５の内面を形成する面に合計５０μＬの香料を同時に供給した。香料は、天然精油であるローズ油５０％、溶剤であるジプロピレングリコール５０％の配合液を用いた。挿入部形成シート１３Ａ，１３Ｂには、芯ＰＰ鞘ＰＥの芯鞘型の複合繊維からなる親油性の不織布を用いた。香料の供給部位は、図６（ａ）に示すように、繊維層１１を有する部分を３等分したときの中央領域Ｒｃとし、より具体的には、図８に示すように、繊維層１１を有する部分を５等分したときの中央部Ｒ３に供給した。図６（ａ）に湿すように、把手挿入部１５を鉛直方向に一致させて供給したので、香料５は、挿入部形成シート１３Ａ，１３Ｂに同量（２５μＬ）ずつ分配されたと推定される。
このようにして賦香した清掃用物品について、賦香直後及び１ヶ月保管後のそれぞれにおいて（１）匂いの強度分布及び（２）香料の分布を調べた。
【００４９】
（１）匂いの強度分布
＜賦香直後の強度分布＞
賦香直後に、賦香した清掃用物品を、図８に示すように、繊維層を有する部分を５等分するように切断して、中央部Ｒ３，一対の中間部Ｒ２，Ｒ４及び一対の端部Ｒ１，Ｒ５に分割し、それぞれを別個の密閉容器に収容した。そして、この５つのサンプルについて、匂いを正確に評価できる専門家により匂いの強度の官能評価を行った。匂いの評価は、下記の評価基準により行い、表１に２人の評価の平均値を示した。
（評価基準）
５：強く匂う。４：はっきりと匂う。３：匂いが楽に判る。２：ほのかに匂う。１：ごくわずかに匂う。０：匂いを感じない。
【００５０】
＜１ヶ月保管後の強度分布＞
賦香した清掃用物品の数個を、切断せずに、ガスバリア性のアルミピロー包装袋に収容して２５℃の環境下に１ヶ月保管し、１ヶ月保管後に、アルミピロー包装袋を開封して取り出した清掃用物品について、賦香直後の評価方法と同様にして、各部の匂いの強度を評価した。その結果を、表１に併せて示した。
【００５１】
【表１】
2014030497.tif 000003
【００５２】
（２）香料の分布
＜賦香直後の香料分布＞
賦香直後に、賦香した清掃用物品を、図８に示すように、繊維層を有する部分を５等分するように切断して、中央部Ｒ３，一対の中間部Ｒ２，Ｒ４及び一対の端部Ｒ１，Ｒ５に分割した。この５つのサンプルそれぞれの挿入部形成シート１３Ａと挿入部形成シート１３Ｂとの間に、あぶらとり紙（有限会社ＫＡＴＵ製）を挟んだ後、各サンプルに５ｋｇの重りを載せて１分間加圧した。
１分間加圧後にあぶらとり紙を取り出し、あぶらとり紙への香料の染みだし量を目視観察し、下記の評価基準により評価した。その結果を表２に示した。
（評価基準）
３：はっきり染み出している。２：やや染み出している。１：わずかに染み出している。０：染み出していない。
＜１ヶ月保管後の香料分布＞
賦香した清掃用物品の数個を、切断せずに、ガスバリア性のアルミピロー包装袋に収容して２５℃の環境下に１ヶ月保管し、１ヶ月保管後に、アルミピロー包装袋を開封して取り出した清掃用物品について、賦香直後の評価方法と同様にして、あぶらとり紙への香料の染みだし量を評価した。その結果を、表２に併せて示した。
【００５３】
【表２】
2014030497.tif 000004
【００５４】
表１及び表２に示す結果から、賦香直後は、香料の供給部位に留まっていた香料が、保管中に拡散して、芳香の強度及び香料の存在量に勾配を有する清掃用物品が得られたことが判る。このように、賦香後の清掃用物品を、ガスバリア性の包装体に収容して保管することで、１箇所のみに香料を添加したにも拘わらず、中央部Ｒ３、中間部Ｒ２，Ｒ４及び端部Ｒ１及びＲ５の何れもが賦香されており、且つ中央部Ｒ３から端部Ｒ１，Ｒ５のそれぞれに向かって芳香の強さが漸減する清掃用物品が得られた。
【００５５】
＜芳香の拡散性及び持続性の評価＞
本発明の方法で製造された清掃用物品、及び／又は芳香の強度や香料の存在量に分布を有する清掃用物品について、芳香の拡散性及び芳香の持続性を調べるために、匂いの強度分布の評価に用いた清掃用物品と同様にして製造した賦香後の清掃用物品を、ガスバリア性の包装体中に収容して１ヶ月保管し、その清掃用物品を用いて、芳香の拡散性及び持続性の評価試験を行った。なお、清掃用物品は、香料の添加量が異なる３種類を製造した。即ち１つの清掃用物品に対する添加量が２０μＬのもの、３０μＬのもの、及び４０〜６０μＬのものを製造した。
評価は、ガスバリア性の包装体から取り出した清掃用物品について、開封直後の芳香の強さを、匂いを正確に評価できる専門家２名により下記の評価基準で評価した後、その清掃用物品を、温度及び湿度を２０℃、６５％ＲＨに維持した部屋に保存し、３日後、１週間後、及び２週間後に同様にして評価を行った。その結果を図９に示す。
（評価基準）
５：強く匂う。４：はっきりと匂う。３：匂いが楽に判る。２：ほのかに匂う。１：ごくわずかに匂う。０：匂いを感じない。
【００５６】
図９に示す結果から、本発明の方法で製造された清掃用物品は、ガスバリア性の包装体中に保管しておくことにより、芳香を失うことなく保管可能であるとともに、芳香の強度や香料の存在量に分布を有する清掃用物品は、開封後に長時間、芳香を放出して、芳香の持続性にも優れる。
【符号の説明】
【００５７】
１０  清掃用物品
１１Ａ  第１繊維層（繊維層）
１１Ｂ  第２繊維層（繊維層）
１３Ａ，１３Ｂ  挿入部形成シート
１５  把手挿入部
１６Ｂ  サイド非連続シール
１６Ａ  中央連続シール線
１８，１８  点シール
２０  把手
２２  挿入部
３５  賦香前清掃用物品
４  定量供給装置
４１  チューブ
４２  ローター
４３  制御部
４４  押圧スイッチ
４５  吐出ノズル
４６  液吐出部
５  香料
６  指
【図１】
2014030497.tif 000005
【図２】
2014030497.tif 000006
【図３】
2014030497.tif 000007
【図４】
2014030497.tif 000008
【図５】
2014030497.tif 000009
【図６】
2014030497.tif 000010
【図７】
2014030497.tif 000011
【図８】
2014030497.tif 000012
【図９】
2014030497.tif 000013